(57)【要約】  上面部１９に外側突起部あるいは縁部を有する飲料用の缶あるいはカップ１２の上で使用される、ナッツ１１やドーナツのような食品のナゲットを保持するための容器１０。この容器は、円筒体１４、上面部および底面部を有するトレイあるいはボックス、および、この容器をその底面部を上記飲料容器の近位に位置させて上記飲料容器の上に係合可能に載せるための、突起部付きスカート１８，２０、スリーブあるいは円形溝２２４の形態にある台を備える。この容器は、上面部を閉鎖するためのカバー２６および／または蓋２４を有し、また、その底面部には、飲用ストロ３１，２３１が通過して飲料容器の開口へ入ることのできる寸法の同心開口２２０が備わっていてもよい。円形蓋には、ＣＤあるいはＤＶＤを保管するとともに蓋を覆って広がるフィルムによって保持されるくぼみがあってもよい。【選択図】  図２Ｂ
2008532854.tif 000002
【特許請求の範囲】
【請求項１】
食品を保持しかつ供給することができる容器であって、
前記飲料容器が、この飲料容器の上面部に外側突起部（ｒｉｄｇｅ）を有しており、
当該容器が、
上面部とこの上面部の反対側にある底面部とを有する円筒体、
当該容器を、前記底面部を前記飲料容器の近位にして、かつ、前記上面部を前記飲料容器の遠位にして、前記飲料容器の上に係合可能に載せるための台、
前記食品を保持するための領域を画定する前記円筒体の底面部および内部
を備える、容器。
【請求項２】
前記台が、前記円筒体と前記底面部とから遠ざかるように延びている前記円筒体のスカート部分を備え、このスカート部分が、前記スカート部分の端部に内側突起部を有し、この内側突起部が、前記外側突起部との嵌め込み係合のための寸法にされている、請求項１に記載の容器。
【請求項３】
前記底面部に底部開口をさらに備え、前記底部開口が、食品よりも小さく、かつ、前記開口に通して飲用ストロを挿入することができる程度に充分大きい寸法であり、また、前記底面部の外側表面に前記開口を覆って接着された取り外し可能なパッチと、前記円筒体の上部フランジへ接着させて取り外し可能にかつ前記円筒体の上面部を覆って取り付けられたカバーとを備える、請求項１または２に記載の容器。
【請求項４】
前記円筒体の上面部へ接続された縁部を有し、かつ、前記上面部を部分的に覆う部分上面部をさらに備え、前記カバーが、前記部分上面部へ接着されて取り付けられ、前記部分上面部が、飲用ストロを前記部分上面部における前記開口と前記底面部における前記開口を通して位置決めすることができるように整合された開口を有する、請求項３に記載の容器。
【請求項５】
側壁円筒体の中に前記上縁部から前記底縁部まで延びており、かつ、前記部分上面部における前記開口と前記底面部における前記開口とに整合している溝形通路をさらに備える、請求項４に記載の容器。
【請求項６】
前記台が、前記底面部の外側に、前記飲料容器の前記外側突起部に係合するように構成された溝を備える、請求項２に記載の容器。
【請求項７】
前記台が、前記円筒体を覆って嵌まり込むような寸法にされた一方の端部と、前記飲料容器を覆って嵌まり込むような寸法にされたもう一方の端部とを有する円筒体状スリーブを備える、請求項２に記載の容器。
【請求項８】
前記底面部が、前記円筒体とともに、成形品である、請求項１〜７のいずれか１項に記載の容器。
【請求項９】
前記部分蓋が、前記円筒体の中へ圧入するための寸法にされている、請求項４に記載の容器。
【請求項１０】
前記円筒体の上面部にフランジをさらに備え、前記フランジが、複数の前記容器におけるそれぞれの穴を通して釘差し盤の釘を挿入することのできる穴を有する、請求項１〜９のいずれか１項に記載の容器。
【請求項１１】
第２の商品を収容するための容器の上に載せるようになっている、第１の商品を収容するための供給器であって、
外側に円形縁部を有する基部プレートと、
内側円錐台であり、当該内側円錐台の最小縁部を覆うカバーを有する、前記内側円錐台と
を備え、
前記基部プレートが、前記縁部と同心である内側円形開口を有し、
前記内側円錐台が、この内側円錐台の最小縁部を覆うカバーを有する、
供給器。
【請求項１２】
第２の商品を収容するための前記容器が、ボトル開口がある首部を有するボトルであり、前記内側円形開口が、前記首部を前記内側円形開口に通して前記内側円錐台の中へ挿入することができ、かつ、飲用ストロを前記穴に通して前記カバーの中および前記ボトルの中へ挿入することができる寸法を有する、請求項１１に記載の供給器。
【請求項１３】
前記第１の商品が、ドーナツ穴があるドーナツであり、前記のより小さい円錐体が、前記ドーナツ穴を通って嵌まるような寸法にされている、請求項１２に記載の供給器。
【請求項１４】
前記供給器が、前記基部プレートの前記外側円形縁部と一体に形成された最小縁部を有する外側円錐台をさらに備え、この外側円錐台が、前記基部から前記内側円錐台と同じ方向に延びている、請求項１１に記載の供給器。
【請求項１５】
前記外側円錐台が、いくつかの段を備える外側表面を有し、各段が、立ち上がり面と段面とを備え、前記立ち上がり面が、前記基部プレートの中心線と同心である円形の連続先細状バンドであり、前記段面が、前記中心線に対して平行である連続状バンドである、請求項１４に記載の供給器。
【請求項１６】
外側縁部の周りにスカートを有する蓋をさらに備え、前記スカートが、前記外側円錐台の最大縁部に係合するような寸法にされている、請求項１５に記載の供給器。
【請求項１７】
前記蓋が、ＣＤディスクおよびＤＶＤディスクのいずれか一方を置くような寸法にされているくぼみを有する、請求項１６に記載の供給器。
【請求項１８】
前記外側円錐台が、側壁開口を有し、紙およびプラスチックフィルムのいずれか一方からなるシートが、前記外側円錐台の内側に置かれ、かつ、前記側壁開口を覆っており、前記側壁開口が、ユーザの人差し指および親指が前記側壁開口の内側に達することができるように、かつ、前記第２の商品を前記外側円錐台の内側から引き出すことができるように選択された寸法を有する、請求項１６に記載の供給器。
【請求項１９】
前記第２の商品が、ドーナツであり、前記の外側円錐台および内側円錐台が、前記ドーナツを前記供給器の内側に入れることができるような寸法にされている、請求項１８に記載の供給器。
【請求項２０】
上面部に縁部を形成する突起部を有する飲料容器に取り付けることができ、食品を保持しかつ供給することができる容器であって、
底面部とこの底面部の縁部から延びている連続状側壁とを有するトレイ、および
前記容器の底面部を、前記飲料容器の近位にして、かつ、前記容器から離れて延びている前記飲料容器の近位にして、前記飲料容器の上に載せるための台
を備え、
前記底面部と連続状側壁とが、嵩張る前記食品を保持するための内側領域を画定し、
前記連続状側壁の縁部が、前記底面部から遠位にある前記連続状側壁の縁部を画定する、
容器。
【請求項２１】
前記台が、前記トレイの底面部に形成されて飲料容器の縁部の突起部に嵌まるように構成された円形溝を備え、それによって、前記容器が前記飲料容器に取り外し可能に固定される、請求項２０に記載の容器。
【請求項２２】
前記底面部に底部開口をさらに備え、この底部開口が、飲用ストロをこの開口に通して前記底部パネルへ取り外し可能に固定された前記飲料容器の中へ挿入することができるように位置決めされかつ選択された寸法を有する、請求項２０に記載の容器。
【請求項２３】
前記連続状側壁の縁部に嵌まるように構成された境界縁部を有する蓋をさらに備え、それによって、前記蓋が前記連続状側壁の縁部に取り外し可能に取り付けられている、請求項２１に記載の容器。
【請求項２４】
前記連続状側壁の縁部に嵌まるように構成された境界縁部を有する蓋をさらに備え、前記蓋が第１の位置にあるときには前記縁部が前記容器を覆うとともに、前記蓋が第２の位置にあるときには前記蓋が前記容器の横に並ぶように、前記蓋の縁部の直線部分が前記連続状側壁の縁部の直線部分へ一体に接続されており、前記蓋によってユーザが前記蓋の上にソースを置くことができる、請求項２１に記載の容器。
【請求項２５】
前記蓋が、その縁部にこの蓋が第２の位置にあるときに前記延長側壁に当接するように置かれた前記蓋の直線部分に隣接するフランジを有し、それによって、前記蓋が第２の位置にあるときに前記蓋に支持部がもたらされる、請求項２４に記載の容器。
【請求項２６】
前記蓋が、少なくとも１つのくぼみを有し、その少なくとも１つのくぼみのそれぞれが、ソースを前記くぼみの中に置くことのできる寸法を有する、請求項２５に記載の容器。
【請求項２７】
食品を保持するための、また、上面部に突起部を有する飲料容器へ取り付けるための容器であって、
底面部とこの底面部の縁部から延びている連続状側壁とを有するボックス、
前記底面部の上に形成されて前記飲料容器の上面縁部における突起部に嵌まるように構成され、それによって、前記容器が前記底面部へ取り外し可能に固定される円形溝、
前記底面部における底部開口であって、飲用ストロを前記開口に通して前記底部パネルへ取り外し可能に固定された前記飲料容器の中へ挿入することができるように位置決めされかつ選択された寸法を有する底部開口、および
前記連続状側壁の縁部に嵌まるように構成された境界縁部を有する蓋であって、前記連続状側壁の部分が前記蓋の境界縁部の部分へ一体に接続されている蓋
を備え、
前記底部パネルと連続状側壁とが、前記食品を保持するような寸法にされた内側領域を画定し、
前記連続状側壁の縁部が、前記底面部から遠位にあり、
前記蓋が、少なくとも１つのくぼみを有し、この少なくとも１つのくぼみのそれぞれが、ソースを前記くぼみの中に置くことのできる寸法を有する、
容器。
【請求項２８】
食品を保持するための、また、上面部に突起部を有する飲料容器へ取り付けるための容器であって、
底面部とこの底面部の縁部から延びている連続状側壁とを有するボックス、
前記底面部の上に形成されて前記飲料容器の上面縁部における突起部に嵌まるように構成され、それによって、前記容器が前記底面部へ取り外し可能に固定される円形溝、および
前記底面部における底部開口であって、飲用ストロをこの開口に通して前記底部パネルへ取り外し可能に固定された前記飲料容器の中と別の開口とへ挿入することができるように位置決めされかつ選択された寸法を有する底部開口
を備え、
前記底部パネルと連続状側壁とが、前記食品を保持するような寸法にされた内側領域を画定し、
前記連続状側壁の縁部が、前記底面部から遠位にある、
容器。
【発明の詳細な説明】
【発明の分野】
【０００１】
本発明は、つまみ類パッケージに関するものであり、特に飲料容器の上端に係合されるパッケージに関するものである。
【発明の背景】
【０００２】
飲物とスナック食品とは長い間、互いに関連付けられてきた。しかし、飲物とスナック食品とを供給することに関して、それらはたいていの場合、消費者が歩行、人込みの中の歩行、パーティ、スポーツ競技、電話使用、自動車運転、読書、パーティでの社交活動、およびその他のような、他の活動に従事しているときに消費される、という特有の問題が存在している。
【０００３】
別の場合には、食べる人は、バーやプールサイドなどで多くの人々といっしょにいる。スナック食品は、蓋のない皿に置かれる。スナック食品を供給する「オープンディッシュ（蓋のない皿）」方式に関する問題は、多くの人々が心の中で思うことであるが、共通の容器の中へ多くの手を入れるという習慣によって細菌、ウイルス、および他の汚染物質が蔓延するおそれがある、という点である。
【０００４】
これらのスナック食品を食べるときには、例えば、Ｃｏｋｅ、Ｐｅｐｓｉ、Ｄｒ．Ｐｅｐｐｅｒ、Ｇａｔｏｒａｄｅのような人気のある飲料、あるいはアルコール飲料がたいてい欲しくなる。
【０００５】
飲料製造業者は、これらの飲料をさまざまな大きさの容器―すなわち缶から、カップ、ボトルおよびカートンまで及ぶ容器―のいずれか１つで流通させている。
【０００６】
市販されている容器の大きさの範囲は、小さい子ども、体格の大きな成人、および両者の中間にあるすべての人が含まれる市場に合わされている。飲料容器の１つの大きさがすべての消費者に適合するということはない。飲料容器の一般的な大きさは、３００ミリリットルから１リットルまでの範囲にある。
【０００７】
市場は常に、スナック食品を食べるのに都合のよい方法のような新規なアイデアをよく受け入れる。「スナック食品」産業は、新規であって面白いパッケージによって市場占有率が増大することをこれまで長い間、認識してきた。
【発明の概要】
【０００８】
第１の好ましい態様によれば、食品を保持しかつ供給することができる容器であって（飲料容器は、その上面部に外側突起部を有している）、
−上面部とこの上面部の反対側にある底面部とを有する円筒体、
−上記容器を、上記底面部を上記飲料容器の近位にして、かつ、上記上面部を上記飲料容器の遠位にして、上記飲料容器の上に係合可能に載せるための台、
−上記食品を保持するための領域を画定する上記円筒体の底面部および内部
を備える、容器が提供される。
【０００９】
上記台は、上記円筒体と上記底面部とから遠ざかるように延びている上記円筒体のスカート部分を備えてもよく、このスカート部分は、上記スカート部分の端部に内側突起部を有し、この内側突起部は、上記外側突起部との嵌め込み係合のための寸法にされている。
【００１０】
この容器は、上記底面部に底部開口をさらに備えてもよく、上記底部開口は、食品よりも小さく、かつ、上記開口に通して飲用ストロを挿入することができる程度に充分大きい寸法である。また、上記底面部の外側表面に上記開口を覆って接着された取り外し可能なパッチと、上記円筒体の上部フランジへ接着させて取り外し可能に、かつ、上記円筒体の上面部を覆って取り付けられたカバーとを備えてもよい。
【００１１】
この容器は、上記円筒体の上面部へ接続された縁部を有し、かつ、上記上面部を部分的に覆う部分上面部をさらに備えてもよく、上記カバーは、上記部分上面部へ接着されて取り付けられ、上記部分上面部は、飲用ストロを上記部分上面部における上記開口と上記底面部における上記開口を通して位置決めすることができるように整合された開口を有する。
【００１２】
この容器は、側壁円筒体の中に、上記上縁部から上記底縁部まで延びており、かつ、上記部分上面部における上記開口と上記底面部における上記開口とに整合する溝形通路をさらに備えてもよい。
【００１３】
上記台は、上記底面部の外側に、上記飲料容器の外側突起部に係合するように構成された溝を備えてもよい。
【００１４】
上記台は、上記円筒体を覆って嵌まり込むような寸法にされた一方の端部と上記飲料容器を覆って嵌まり込むような寸法にされたもう一方の端部とを有する円筒体状スリーブを備えてもよい。
【００１５】
上記底面部は、上記円筒体とともに、成形品であってもよい。
【００１６】
上記部分蓋は、上記円筒体の中へ圧入するための寸法にされていてもよい。
【００１７】
この容器は、上記円筒体の上面部にフランジをさらに備え、上記フランジは、複数の上記容器におけるそれぞれの穴を通して釘差し盤の釘を挿入することのできる穴を有してもよい。
【００１８】
第２の好ましい態様によれば、第１の商品を収容するための供給器であって、上記供給器は、第２の商品を収容するための容器の上に載せるようになっており、上記供給器は、
−外側に円形縁部を有する基部プレート、および
−内側円錐台であって、この内側円錐台の最小縁部を覆うカバーを有する内側円錐台を備え、
−上記基部プレートは、上記縁部と同心である内側円形開口を有し、
−上記内側円錐台は、この内側円錐台の最小縁部を覆うカバーを有する、
供給器が提供される。
【００１９】
第２の商品を収容するための上記容器は、ボトル開口がある首部を有するボトルであってもよく、上記内側円形開口は、上記首部を上記内側円形開口に通して上記内側円錐台の中へ挿入することができ、かつ、飲用ストロを上記穴から上記カバーの中へかつ上記ボトルの中へ挿入することができる寸法を有してもよい。上記第１の商品は、ドーナツ穴があるドーナツであってもよく、上記のより小さい円錐体は、上記ドーナツ穴を通って嵌まるような寸法にされていてもよい。
【００２０】
上記供給器は、上記基部プレートの外側円形縁部と一体に形成された最小縁部を有する外側円錐台をさらに備えてもよく、この外側円錐台は、上記基部から上記内側円錐台と同じ方向に延びている。
【００２１】
上記外側円錐台は、いくつかの段が備わっている外側表面を有してもよく、各段は、立ち上がり面と段面を備え、上記立ち上がり面は、上記基部プレートの中心線と同心である円形の連続先細状バンドであり、上記段面は、上記中心線に対して平行である連続状バンドである。
【００２２】
この供給器は、外側縁部の周りにスカートを有する蓋をさらに備えてもよく、上記スカートは、上記外側円錐台の最大縁部に係合するような寸法にされている。
【００２３】
上記蓋は、ＣＤディスクおよびＤＶＤディスクのいずれか一方を置くような寸法にされているくぼみを有してもよい。
【００２４】
上記外側円錐台は、側壁開口を有してもよく、紙およびプラスチックフィルムのいずれか一方からなるシートが、上記外側円錐台の内側に置かれ、かつ、上記側壁開口を覆っており、上記側壁開口は、ユーザの人差し指および親指が上記側壁開口の内側に達することができるように、かつ、上記第２の商品を上記外側円錐台の内側から引き出すことができるように選択された寸法を有してもよい。
【００２５】
上記第２の商品は、ドーナツであってもよく、上記外側円錐台および内側円錐台は、上記ドーナツを上記供給器の内側に入れることができるような寸法にされている。
【００２６】
第３の好ましい態様によれば、食品を保持しかつ供給することができる容器を提供し、この容器は、飲料容器へ取り付けることができ、飲料容器は、その上面部に縁部を形成する突起部を有している。上記容器は、
−底面部とこの底面部の縁部から延びている連続状側壁とを有するトレイ、および
−上記容器の底面部を、上記飲料容器の近位にして、かつ、上記容器から離れて延びている上記飲料容器の近位にして、上記飲料容器の上に載せるための台
を備え、
−上記底面部と連続状側壁とが、嵩張る食品を保持するための内側領域を画定し、
−上記連続状側壁の縁部が、上記底面部から遠位にある上記連続状側壁の縁部を画定している。
【００２７】
上記台は、上記トレイの底面部に形成されて飲料容器の縁部の突起部に嵌まるように構成された円形溝を備えてもよく、それによって、上記容器が飲料容器に取り外し可能に固定される。
【００２８】
この容器は、上記底面部に底部開口をさらに備えてもよく、この底部開口は、飲用ストロをこの開口に通して上記底部パネルへ取り外し可能に固定された上記飲料容器の中へ挿入することができるように位置決めされかつ選択された寸法を有する。
【００２９】
この容器は、上記連続状側壁の縁部に嵌まるように構成された境界縁部を有する蓋をさらに備えてもよく、それによって、この蓋が上記連続状側壁の縁部に取り外し可能に取り付けられている。
【００３０】
この容器は、上記連続状側壁の縁部に嵌まるように構成された境界縁部を有する蓋をさらに備えてもよく、前記蓋が第１の位置にあるときには上記縁部が上記容器を覆い、かつ、前記蓋が第２の位置にあるときには前記蓋が上記容器の横に並ぶように、上記蓋の縁部の直線部分が上記連続状側壁の縁部の直線部分へ一体に接続されており、前記蓋によってユーザは前記蓋の上にソースを置くことができる。
【００３１】
上記蓋は、その縁部にこの蓋が上記第２の位置にあるときに上記延長側壁に当接するように置かれた上記蓋の直線部分に隣接するフランジを有してもよく、それによって、上記蓋が第２の位置にあるときに上記蓋に支持部がもたらされる。
【００３２】
上記蓋は、少なくとも１つのくぼみを有してもよく、この少なくとも１つのくぼみのそれぞれが、ソースを上記くぼみの中に置くことのできる寸法を有してもよい。
【００３３】
第４の好ましい態様によれば、食品を保持するための、また、上面部に突起部を有する飲料容器へ取り付けるための容器を提供し、この容器は、
−底面部とこの底面部の縁部から延びている連続状側壁とを有するボックス、
−上記底面部の上に形成されて上記飲料容器の上面縁部における突起部に嵌まるように構成され、それによって、上記容器が上記底面部へ取り外し可能に固定される円形溝、
−上記底面部における底部開口であって、飲用ストロをこの開口に通して上記底部パネルへ取り外し可能に固定された上記飲料容器の中へ挿入することができるように位置決めされかつ選択された寸法を有する底部開口、および
−上記連続状側壁の縁部に嵌まるように構成された境界縁部を有する蓋であって、上記連続状側壁の部分が上記蓋の境界縁部の部分へ一体に接続されている蓋
を備え、
−上記底部パネルと連続状側壁とが、上記食品を保持するような寸法にされた内側領域を画定し、
−上記連続状側壁の縁部が、上記底面部から遠位にあり、
−上記蓋は、少なくとも１つのくぼみを有し、その少なくとも１つのくぼみのそれぞれが、ソースを上記くぼみの中に置くことのできる寸法を有する。
【００３４】
第５の好ましい態様によれば、食品を保持するための、かつ、上面部に突起部を有する飲料容器へ取り付けるための容器を提供し、この容器は、
−底面部とこの底面部の縁部から延びている連続状側壁とを有するボックス、
−上記底面部の上に形成されて上記飲料容器の上面縁部における突起部に嵌まるように構成され、それによって、上記容器が上記底面部へ取り外し可能に固定される円形溝、および
−上記底面部における底部開口であって、飲用ストロをこの開口に通して上記底部パネルへ取り外し可能に固定された上記飲料容器の中と別の開口とへ挿入することができるように位置決めされかつ選択された寸法を有する底部開口
を備え、
−上記底部パネルと連続状側壁とが、上記食品を保持するような寸法にされた内側領域を画定し、
−上記連続状側壁の縁部が、上記底面部から遠位にある。
【００３５】
本発明を充分に理解できるように、また、本発明の実際的な効果を得るために、ここでは、本発明の好ましい実施形態だけが非限定的な例によって説明され、その説明は添付されている例示的図面を参照して行われる。
【好ましい実施形態の詳細な説明】
【００３６】
図１〜図５は、標準的な飲料用のカップあるいは缶１２の上面部１９に取り付けるために構成された、ナッツ１１のための容器１０である本発明の変形例を示す。
【００３７】
現在市場に出ている標準的な飲料用のカップ／缶１２には、カップ／缶１２の上縁部の周りに外側突起部１９がある。
【００３８】
それぞれの変形例では、容器１０は、一体状に形成された（成形された）円筒体１４を備え、また、容器１０の開口の約３分の２にわたって延びる部分蓋２４が備わっていてもよい。
【００３９】
図１は、この容器の１つの変形例を示し、その底面部１６（仮想線による）が円筒体１４の下縁部１８から変位されて、下縁部１８を含む短いスカート２０が形成されている。
【００４０】
図２Ａは図１の断面図である。
【００４１】
図２Ｂは、図２Ａと同様な図であるが、円筒体１４を通って飲料４０の中まで下方へ延びている飲用ストロ３１を示す。
【００４２】
スカート２０の下縁部１８には内側リップ２１があり、これは、カップ／缶１２の上縁部の周りにおける突起部１９に「パチンと嵌め」られるような寸法にされている。
【００４３】
図３Ａは、容器１０を缶１２の上に取り付けるための別の変形例についての分解図であり、ここで、容器１０を缶／カップ１２の上に取り付けるための手段はスリーブ４５である。
【００４４】
図３Ｂは、スリーブ４５の一方の端部の中へ挿入された容器１０と、スリーブ４５の反対側の端部の中へ挿入された缶１２とを示す組立図である。
【００４５】
図３Ｃは、図３Ｂの断面図であり、容器１０の中のナッツ１１と、容器１０を通って飲料４０の中へ延びている飲用ストロ３１とを示す。
【００４６】
図４は、容器１０を缶１２の上に取り付けるための第３の変形例の側面図であり、ここで、容器１０には、缶１２の上縁部における突起部１９が嵌まる成形溝４４を有する底面部１６がある。
【００４７】
図５は、第４変形例の断面図であり、ここで、容器１０は、容器１０の上縁部から外方へ延びているフランジ１３によって缶／カップ１２の内側に支持されている。
【００４８】
図１および図２に最も良好に示されているが、図１〜図５のそれぞれの変形例では、成形された円筒体１４は、円筒体１４の開放された上端の一部を覆って延びる部分蓋２４を有する。この部分蓋２４によって、容器１０からナッツが空けられるときに、いっそう良好な調節が可能となる。
【００４９】
それぞれの変形例における別の実施形態では、部分蓋２４はない。
【００５０】
図１および図２に最も良好に示されているが、それぞれの変形例では、薄い箔あるいは紙であるカバー２６が、円筒体１４のフランジ１３と部分蓋２４とに粘着状に接着されており、また、円筒体１４の上端開口を覆って延びている。この特徴によって、ナッツを売り出す前に、ナッツを完全に封入することができる。
【００５１】
ナッツ１１への接近については、カバーのこの部分へ取り付けられたタブ２９をつかんでカバー２６を剥がすことで、カバー２６が部分蓋２４から剥ぎ取られる。
【００５２】
図６は、カバーによって覆われた、フランジ１３のある円筒体１４を示す斜視図である。円筒体１４の側壁には、円筒体１４の上縁部から下縁部まで延びている溝形通路３０がある。
【００５３】
図３Ｃ、図４および図５に示すように、図６の容器１０が缶／カップ１２に載せられると、溝形通路３０は、飲用ストロ３１を穴３２から溝形通路３０に沿って、かつ、缶１２の内側の開口２３から下方へ導き、缶１２の内側に入れられた飲料４０の中へ位置させるためのガイドをもたらす。
【００５４】
図７に示すように、容器１０の中の穴３２は、複数の容器１０を販売用陳列のための釘３６に陳列するための開口としても設けられている。
【００５５】
使用に際して、ユーザは、好みのつまみ類が入れられた容器１０を釘３６から選び、この容器を開けた飲料用の缶あるいはカップの上面に載せる。その後、カバー２６を剥がして、ストロ３１を溝形通路３０および開口２３に通して挿入すると、ストロの下端が缶（カップ）１２の中にある飲料４０の中まで延びる。
【００５６】
カバーを剥がし（容器へ取り付けられた部分蓋を残して）、つまみ類を直接、口の中へ空ける能力は、セロファン袋を裂いて開け、その袋からナッツ（普通はピーナッツ）を直接、口の中に移して空にするために上記つまみ類を供給する現在の方法よりもいっそう当てにできる食べ方であるが、その理由は現在の方法では袋の底に常に２〜３個のナッツが残るためである。
【００５７】
この構成によれば、一般消費者のためのいくつかの実用性がもたらされる。
【００５８】
１つの利便性は、容器および／または缶を一方の手に保持しながら飲料および／またはつまみ類を供給できることである。
【００５９】
別の利便性は、つまみ類を飲料から分けて容器詰め（さらには販売）できるので、買い手はいくつかのつまみ類から任意のものを選べる、ことである。
【００６０】
本発明の文脈では、用語「つまみ類」とは、「豆粒大の」ナゲットおよび大衆によく知られているそのようなものとして供給される、ナッツ、ミント、チョコレートなどが含まれる任意の食品である。
【００６１】
本発明の開示に従うことで、ナッツおよび飲料は、消費者がつまみ類および飲料を消費する用意ができるまで、汚染から充分に保護される。
【００６２】
図８は容器の第２の形態を示す斜視図である。この容器２１０は、基部２４へ一体に接続された小さい端部をもつ外側円錐台１２を備える皿である。
【００６３】
図９は、段２６Ａ，Ｂ，およびＣとして構成された円錐部分を示す断面図である。
【００６４】
外側円錐台には段の備わっている外側表面がある。
【００６５】
各段には、立ち上がり面２１７と段面２１９とを備える。立ち上がり面は、上記基部の中心線と同軸である連続状の平坦な円形帯である。段面１９は上記中心線に対して平行である連続帯である。
【００６６】
より小さい内側倒立円錐体２１８が、基部２１４における同心開口２２０で基部２１４へ一体に接続されている。内側円錐体２１８にはその頂端に開口２２０がある。
【００６７】
図１０は、供給器２１０が飲料の容器２２２の上に載せられている断面図である。供給器２１０の段２１６は、供給器２１０が容器２２２の縁部における段２１６Ｂによって支持されるように、寸法が決められている。
【００６８】
各段の直径は、供給器２１０を標準的寸法がある飲料カップの縁部に嵌めることができるように選択される。
【００６９】
各段２１６の立ち上がり面２１７は、供給器１０を飲料容器の中へ留まり嵌めすることができるように、先細になっている。
【００７０】
標準的な飲料カップは、１６ｏｚ、２２ｏｚ、３２ｏｚ、４４ｏｚ、６４ｏｚ、３００ｍｌ、４４０ｍｌ、５００ｍｌ、１ｌおよびインペリアルパイントの寸法である。  
【００７１】
図１０は同心溝２２４がある基部を示す。供給器１０は、飲料の缶２２８の縁部２２６の上に載せるために宙に浮いている。溝２２４は、図１１に示すように、缶２２８の縁部２２６を溝２２４の中に圧入することができるような寸法にされている。
【００７２】
図１１に示すように、小さい円錐体２１８の寸法は標準的な飲料ボトル２３０を円錐体２１８の中へ取り付けることができるように選択される。
【００７３】
要約すると、供給器２１０は、供給器２１０を５つの寸法のうちいずれか１つを有する飲料カップ、飲料缶あるいは飲料ボトルの上に嵌めるように、寸法が決められている。
【００７４】
使用時には、図１２に示すように、供給器２１０の中にナッツ、チップス、クラッカーのようなつまみ類２３３あるいはパック入りアイスクリームが収納されている。供給器２１０は飲料容器の上に載せられている。飲用ストロ２３１が、上記の小さい円錐体における開口２２０から飲料容器の中へ挿入される。
【００７５】
これによって、ユーザは、組み合わされた飲料容器および供給器２１０を一方の手で保持し、ストロ２３１から飲物を飲み、あるいは他方の手で供給器２１０の外側にある食品２３３を食べることができる。このことはテーブルについていない人にとってはきわめて便利である。
【００７６】
図１０は円形蓋２３２を示すが、この蓋２３２には、この円形蓋２３２を供給器２１０の縁上へ押し付けることができるような寸法にされた肩２３４が備わっている。円形蓋２３２にはくぼみ２３６があるが、このくぼみ２３６はＣＤ／ＶＣＤ／ＤＶＤディスク２３８をくぼみ２３６の中へ収容することができるような寸法にされている。
【００７７】
ＣＤディスク２３８は、蓋を覆って広がるとともにディスク２３８の縁部へ固定されたフィルム２４０によって、上記くぼみの中に保持される。
【００７８】
供給器１０にＣＤディスク２３８が包含されていることは、特に市場の若者向きのつまみ類が収容されている供給器２１０をマーケティングするための付加的な誘因である。
【００７９】
図１６は、供給器２１０がドーナツ２４４を供給するようになっている別の変形例を示す。ドーナツ２４４は、ドーナツの中心穴を通って延びる小さい円錐体が備わった供給器の中に置かれる。供給器１０には、蓋２３２を外して、ドーナツ２４４を親指と人差し指とでつかみ、ドーナツ２４４を供給器の外へ引き上げることによってドーナツを引き出すことのできる側壁開口２４２がある。この変形例では、小さい１枚のフィルムのシート２４６によって側壁開口２４２が覆われる。
【００８０】
この構成によれば、ユーザは、蓋２３２を外して、人差し指と親指とでシート２４６を備えるドーナツをつかみ、ドーナツ２４４を供給器２１０の外側へ引き上げることができる。
【００８１】
図１２の変形例では、飲料を供給するための好ましい容器は、標準的な周知の発泡スチロールカップである。これによって、供給器２１０の中のドーナツを熱いコーヒーのカップ２１６の上に載せて供給することができる。（発泡スチロールは有効な断熱材である。）
【００８２】
図１３は、供給器２１１が中央に小さい円錐体のある単なる基部である飲料のボトルとともにドーナツを供給するための別の変形例を示す。このボトルは、先に検討したように小さい円錐体２１８の上へ載せることができる。
【００８３】
１つの商品を別の商品の容器であってさまざまな寸法および形状で入手することができる容器の上へパッケージするための供給器が説明されて来た。この原理は、石鹸および石鹸乳化剤などのような、つまみ類および飲料以外の商品の組み合わせに適用することができる。
【００８４】
例えば、供給器１０はさまざまな材料、すなわちポリエチレン、ポリスチレンなどから製造することができる。
【００８５】
図１７は、標準的な飲料用のカップあるいは缶３１４の上面部に載せるように構成された、ホットドッグのための容器３１０を示す。
【００８６】
この容器は、実質的に長方形の底面部３２０から延びている連続状側壁を有する長方形の箱３１６を備える。
【００８７】
箱１６の寸法は、箱３１６の中にホットドッグおよび丸パン３１２を収容することができるように選択される。
【００８８】
箱３１６の開口の上に配置するために、蓋が宙に浮いて示されている。蓋３１６の縁部３２８は箱３１６の縁部に嵌まるように構成されているため、その蓋は箱３１６の上へ「パチンと留まる」。
【００８９】
箱１６は標準的なカップ／缶３２２を覆って宙に浮いている。
【００９０】
この標準的なカップ／缶には、カップ／缶３２２の上縁部の周りに外側突起部２２４がある。
【００９１】
図１８Ａは、箱３１６の断面図であり、箱３１６を飲料缶３２２の上面部の上へ載せる（「パチンと嵌める」）ための容器の底面部３２０における突起部を示す。
【００９２】
図１８Ｂは、箱３１６の底面部３２０の図面であり、縁部３２４に係合する突起部３３０を示す。
【００９３】
箱３１６の底部には、缶が開けられたときに缶３２２における開口を通してストロを挿入することのできる開口３３２もある。
【００９４】
代わりに、図１９に示すように、箱の側壁は、飲用ストロ６６を缶３２２における開口の中へ挿入することのできるへこみ３２３がある。
【００９５】
図１７、図１８Ａは、ホットドッグを閉鎖容器３１０の内側に封入するために箱３１６の上へ載せるため、宙に浮いている蓋の斜視図である。
【００９６】
図２０Ａ、図２０Ｂは、蓋３２６の１つの縁部３３８がトレイ３１６の１つの側面の縁部へ接続された変形例である。蓋３２６が閉じられると、ホットドッグが容器３１０の中に収容されるかあるいは移される。
【００９７】
使用に際して、蓋は、図２０Ｂに示すように、箱３１６から折り返される（回転される）。
【００９８】
蓋２６から一部切り離されたフランジ３４２が折り曲げられ（破線４４に沿って）ると、蓋３２６が開放位置に固定される。
【００９９】
図２０は、蓋３２６に形成された区画室３４６（くぼみ）を示す。ソースは、それぞれこの専用区画室の中に入れられる。食事をする人にはこのソースが専用区画室の中に供給され、食事が始まる。次いで、ホットドッグの端をソース（区画室の中の）の中へ浸ける。
【０１００】
初めに、ソースの包みを、ホットドッグとともに閉鎖トレイの内側に置くことができる。密封袋に入れられたパッケージ用のケチャップおよびマスタードは、パッケージの業界でよく知られている。
【０１０１】
この構造によって、一般消費者にいくつかの利便性がもたらされる。
【０１０２】
１つの利便性は、容器を一方の手に保持しながら飲料および／またはホットドッグを供給できることである。
【０１０３】
この明細書の文脈では、用語「ソース」とは、ホットドッグへたいてい塗布される、食欲増進のためのあらゆる半液体状のもの（大衆によく知られたケチャップ、マスタードおよびレリッシュ）である。
【０１０４】
本発明の変形例は、この明細書を読み、本発明の範囲内にある図面を検討した後に、じっくり考えることができる。
【０１０５】
例えば、図２１は飲用ストロを示し、その下方の端部（図示せず）は缶の中に挿入されており、また、その上方の端部は容器の側壁における開口を通って延びている。
【０１０６】
本発明の開示に従うことによって、ホットドッグおよび飲料は、この消費者がホットドッグおよび飲料を消費する用意ができるまで、汚染から充分に保護される。
【０１０７】
図２２は、挿入トレイ４１６の備わったカップ４２２がその側面に穴４３２を有する変形例を示す。ストロ４６６はトレイ４１６の下方の穴４３２から挿入することができる。穴４３２は、使用しないときには、チャド（ｃｈａｄ）、剥ぎ取りカバー、テープなどによって覆うことができる。トレイ４１６は、スナック食品を保持するために使用することができ、また、カップ４２２を先細にするために、その上面とその下面との中間におけるカップ４２２に対するある高さで、カップ４２２の中に締まり嵌めされている。
【０１０８】
この明細書におけるその文脈では、用語、嵩張る食品とは、液体状ではなく、ユーザが指で摘み上げて一部をかじることのできる食品を意味する、ことが意図されている。そのような嵩張る食品は、特に長方形の形をしたホットドッグを意味し、ユーザがこの食品を片手で保持し、この食品の一部をかじることを想定している。
【０１０９】
従って、これらの変形例の態様では、本発明の範囲を添付の特許請求の範囲によって画成することが望ましい。
【０１１０】
本発明の好ましい実施形態を説明してきたが、関連技術分野における当業者には、本発明から逸脱することなく多くの変形あるいは修正を設計あるいは構成の細部において行うことができる、と理解されるであろう。
【図面の簡単な説明】
【０１１１】
【図１】缶への取り付けのために宙に浮いている第１の実施形態の組立図である。
【図２Ａ】図１の断面図である。
【図２Ｂ】図２Ａに類似した図であるが、缶の内側に入れられた飲用ストロも示す。
【図３Ａ】カップ／缶へスリーブによって接続される第１の実施形態の分解斜視図である。
【図３Ｂ】カップ／缶へスリーブによって接続される第１の実施形態の斜視図である。
【図３Ｃ】カップ／缶へスリーブによって接続される第１の実施形態の断面図である。
【図４】カップ／缶との係合のための溝付き底部がある第１の実施形態を示す図である。
【図５】飲料で満たされたカップの中へ挿入された実施形態を示す断面図である。
【図６】図２の変形例であって図２の実施形態の上縁部へ接着された密封部材を示す。
【図７】小売陳列用の釘に取り付けられた上記実施形態を示す。
【図８】第２の実施形態の分解斜視図である。
【図９】図８の断面図である。
【図１０】図８の組立図である。
【図１１】図１０の一部拡大断面図である。
【図１２】図１０の一部拡大断面図であり、飲料容器が図１１とは異なるものを示している。
【図１３】図１０の一部拡大断面図であり、飲料容器が図１１および図１２とは異なるものを示している。
【図１４】図１０の一部拡大断面図であり、飲料容器が図１１〜図１３とは異なるものを示している。
【図１５】さらに別の実施形態の斜視図である。
【図１６Ａ】缶への取り付けのために宙に浮いている第３の実施形態の断面図である。
【図１６Ｂ】第３の実施形態の平面図である。
【図１７】第３の実施形態の斜視図である。
【図１８】第３の実施形態の変形例を示す斜視図である。
【図１９Ａ】ソースを保持するための蓋におけるくぼみを示す。
【図１９Ｂ】ソースを保持するために開放された図１９Ａの蓋を示す。
【図２０】側壁を通って延びている飲用ストロを示す。
【図２１】挿入トレイの備わったカップがその側面に穴を有する実施形態を示す。
【図１】
2008532854.tif 000003
【図２Ａ】
2008532854.tif 000004
【図２Ｂ】
2008532854.tif 000005
【図３Ａ】
2008532854.tif 000006
【図３Ｂ】
2008532854.tif 000007
【図３Ｃ】
2008532854.tif 000008
【図４】
2008532854.tif 000009
【図５】
2008532854.tif 000010
【図６】
2008532854.tif 000011
【図７】
2008532854.tif 000012
【図８】
2008532854.tif 000013
【図９】
2008532854.tif 000014
【図１０】
2008532854.tif 000015
【図１１】
2008532854.tif 000016
【図１２】
2008532854.tif 000017
【図１３】
2008532854.tif 000018
【図１４】
2008532854.tif 000019
【図１５】
2008532854.tif 000020
【図１６Ａ】
2008532854.tif 000021
【図１６Ｂ】
2008532854.tif 000022
【図１７】
2008532854.tif 000023
【図１８】
2008532854.tif 000024
【図１９Ａ】
2008532854.tif 000025
【図１９Ｂ】
2008532854.tif 000026
【図２０】
2008532854.tif 000027
【図２１】
2008532854.tif 000028
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
食品を保持しかつ供給することができる容器であって、
前記飲料容器が、この飲料容器の上面部に外側突起部を有しており、
当該容器が、
上面部とこの上面部の反対側にある底面部とを有する円筒体と、
前記容器を、前記底面部を前記飲料容器の近位にして、かつ、前記上面部を前記飲料容器の遠位にして、前記飲料容器の上に係合可能に載せるための台と、
前記食品を保持するための領域を画定する前記円筒体の底面部と内部と、
前記底面部における底部開口と
を備え、
前記底部開口が、食品よりも小さく、かつ、前記開口に通して飲用ストロを挿入することができる程度に充分大きい寸法であり、また、前記底面部の外側表面に前記開口を覆って接着された取り外し可能なパッチと、前記円筒体の上部フランジへ接着させて取り外し可能にかつ前記円筒体の上面部を覆って取り付けられたカバーとを備える、容器。
【請求項２】
前記台が、前記円筒体と前記底面部とから遠ざかるように延びている前記円筒体のスカート部分を備え、このスカート部分が、前記スカート部分の端部に内側突起部を有し、この内側突起部が、前記外側突起部との嵌め込み係合のための寸法にされている、請求項１に記載の容器。
【請求項３】
前記円筒体の上面部へ接続された縁部を有していて前記上面部を部分的に覆う部分上面部をさらに備え、前記カバーが、前記部分上面部へ接着されて取り付けられ、前記部分上面部が、前記飲用ストロを前記部分上面部における前記開口と前記底面部における前記開口を通して位置決めすることができるように整合された開口を有する、請求項２に記載の容器。
【請求項４】
側壁円筒体の中で前記上縁部から前記底縁部まで延びており、かつ、前記部分上面部における前記開口と前記底面部における前記開口とに整合する溝形通路をさらに備える、請求項３に記載の容器。
【請求項５】
前記台が、前記底面部の外側の上に、前記飲料容器の前記外側突起部に係合するように構成された溝を備える、請求項１に記載の容器。
【請求項６】
前記台が、前記円筒体を覆って嵌まり込むような寸法にされた一方の端部と前記飲料容器を覆って嵌まり込むような寸法にされたもう一方の端部とを有する円筒体状スリーブを備える、請求項１に記載の容器。
【請求項７】
前記底面部が、前記円筒体とともに、成形品である、請求項１〜６のいずれか１項に記載の容器。
【請求項８】
前記部分蓋が、前記円筒体の中へ圧入するための寸法にされている、請求項３に記載の容器。
【請求項９】
前記円筒体の上面部にフランジをさらに備え、前記フランジが、複数の前記容器におけるそれぞれの穴を通して釘差し盤の釘を挿入することのできる穴を有する、請求項１〜８のいずれか１項に記載の容器。
【請求項１０】
少なくとも１つの標準寸法のいずれか１つである円形縁部を有する、第２の商品を収容するための容器の上に載せるようになっている、第１の商品を収容するための供給器であって、
縁部がある内側円形開口を有する基部プレートと、
前記円形開口の縁部へ一体に接続された、最大直径を有する内側円錐台と
を備え、
前記基部プレートが、少なくとも１つの円形溝を備える面を有し、
前記少なくとも１つの円形溝のそれぞれが、前記円形開口と実質的に同心であり、
前記少なくとも１つの円形溝のそれぞれが、前記円形縁部の１つを前記少なくとも１つの円形溝のそれぞれに留まり嵌めすることができるように選択された直径を有し、
前記内側円錐台が、この内側円錐台の最小縁部を覆うカバーを有し、このカバーが穴を有する、
供給器。
【請求項１１】
第２の商品を収容するための前記容器が、ボトル開口がある首部を有するボトルであり、前記内側円形開口が、前記首部を前記内側円形開口に通して前記内側円錐台の中へ挿入することができ、かつ、飲用ストロを前記穴に通して前記カバーの中および前記ボトルの中へ挿入することができる寸法を有する、請求項１０に記載の供給器。
【請求項１２】
前記第１の商品が、ドーナツ穴があるドーナツであり、前記内側円錐台が、前記ドーナツ穴を通って嵌まるような寸法にされている、請求項１１に記載の供給器。
【請求項１３】
前記供給器が、前記基部プレートが外側円形縁部を有し、前記供給器が、前記基部プレートの前記外側円形縁部と一体に形成された最小縁部を有する外側円錐台をさらに備え、この外側円錐台が、前記基部プレートから前記内側円錐台と同じ方向に延びている、請求項１０に記載の供給器。
【請求項１４】
前記外側円錐台が、いくつかの段を備える外側表面を有し、それぞれの段が、立ち上がり面と段面とを備え、前記立ち上がり面が、前記基部プレートの中心線と同心である円形の連続先細状バンドであり、前記段面が、前記中心線に対して平行である連続状バンドである、請求項１３に記載の供給器。
【請求項１５】
外側縁部の周りにスカートを有する蓋をさらに備え、前記スカートが、前記外側円錐台の最大縁部に係合するような寸法にされている、請求項１４に記載の供給器。
【請求項１６】
前記蓋が、ＣＤディスクおよびＤＶＤディスクのいずれか一方を置くような寸法にされているくぼみを有する、請求項１５に記載の供給器。
【請求項１７】
前記外側円錐台が、側壁開口を有し、紙およびプラスチックフィルムのいずれか一方からなるシートが、前記外側円錐台の内側に置かれ、かつ、前記側壁開口を覆っており、前記側壁開口が、ユーザの人差し指および親指が前記側壁開口の内側に達することができるように、かつ、前記第２の商品を前記外側円錐台の内側から引き出すことができるように選択された寸法を有する、請求項１５に記載の供給器。
【請求項１８】
前記外側円錐台が、前記第１の商品を前記供給器の内側に入れることができるような寸法にされている、請求項１７に記載の供給器。
【請求項１９】
上面部に縁部を形成する突起部を有する飲料容器に取り付けることができ、食品を保持しかつ供給することができる容器であって、
底面部とこの底面部の縁部から延びている連続状側壁とを有するトレイと、
前記容器の底面部を、前記容器から離れて延びている前記飲料容器の近位にして、前記飲料容器の上に載せるための台と、
前記底面部における底部開口であり、飲用ストロをこの開口に通して前記底部パネルへ取り外し可能に固定された前記飲料容器の中へ挿入することができるように位置決めされかつ選択された寸法を有する、前記底部開口と
を備え、
前記底面部と連続状側壁とが、嵩張る前記食品を保持するための内側領域を画定し、
前記連続状側壁の縁部が、前記底面部から遠位にある前記連続状側壁の縁部を画定し、
前記台が、前記トレイの底面部に形成されて前記飲料容器の縁部の突起部に嵌まるように構成された円形溝を備え、それによって、前記容器が飲料容器に取り外し可能に固定される、
容器。
【請求項２０】
前記連続状側壁の縁部に嵌まるように構成された境界縁部を有する蓋をさらに備え、それによって、前記蓋が前記連続状側壁の縁部に取り外し可能に取り付けられている、請求項１９に記載の容器。
【請求項２１】
前記連続状側壁の縁部に嵌まるように構成された境界縁部を有する蓋をさらに備え、前記蓋が第１の位置にあるときには前記縁部が前記容器を覆うとともに、前記蓋が第２の位置にあるときには前記蓋が前記容器の横に並ぶように、前記蓋の縁部の直線部分が前記連続状側壁の縁部の直線部分へ一体に接続されており、前記蓋によってユーザが前記蓋の上にソースを置くことができる、請求項１９に記載の容器。
【請求項２２】
前記蓋が、その縁部にこの蓋が第２の位置にあるときに前記延長側壁に当接するように置かれた前記蓋の直線部分に隣接するフランジを有し、それによって、前記蓋が第２の位置にあるときに前記蓋に支持部がもたらされる、請求項２１に記載の容器。
【請求項２３】
前記蓋が、少なくとも１つのくぼみを有し、その少なくとも１つのくぼみのそれぞれが、ソースを前記くぼみの中に置くことのできる寸法を有する、請求項２２に記載の容器。
【請求項２４】
食品を保持するための、また、上面部に突起部を有する飲料容器へ取り付けるための容器であって、
底面部とこの底面部の縁部から延びている連続状側壁とを有するボックスと、
前記底面部の上に形成されて前記飲料容器の上面縁部における突起部に嵌まるように構成され、それによって、前記容器が前記底面部へ取り外し可能に固定される円形溝と、
前記底面部における底部開口であり、飲用ストロをこの開口に通して前記底部パネルへ取り外し可能に固定された前記飲料容器の中へ挿入することができるように位置決めされかつ選択された寸法を有する、前記底部開口と、
前記連続状側壁の縁部に嵌まるように構成された境界縁部を有する蓋であり、前記連続状側壁の部分が前記蓋の境界縁部の部分へ一体に接続されている、前記蓋と
を備え、
前記底面部と連続状側壁とが、前記食品を保持するような寸法にされた内側領域を画定し、
前記連続状側壁の縁部が、前記底面部から遠位にあり、
前記蓋が、少なくとも１つのくぼみを有し、この少なくとも１つのくぼみのそれぞれが、ソースを前記くぼみの中に置くことのできる寸法を有する、
容器。
【請求項２５】
食品を保持するための、また、上面部に突起部を有する飲料容器へ取り付けるための容器であって、
底面部とこの底面部の縁部から延びている連続状側壁とを有するボックスと、
前記底面部の上に形成されて前記飲料容器の上面縁部における突起部に嵌まるように構成され、それによって、前記容器が前記底面部へ取り外し可能に固定される円形溝と、
前記底面部における底部開口であり、飲用ストロをこの開口に通して前記底面部へ取り外し可能に固定された前記飲料容器の中へ挿入することができるように位置決めされかつ選択された寸法を有する、前記底部開口と
を備え、
前記底面部と連続状側壁とが、前記食品を保持するような寸法にされた内側領域を画定し、
前記連続状側壁の縁部が、前記底面部から遠位にある、
容器。
【国際調査報告】
2008532854.tif 000029
2008532854.tif 000030
2008532854.tif 000031
2008532854.tif 000032
2008532854.tif 000033
2008532854.tif 000034